(57)【要約】  【課題】  印画紙巻などのロール状に巻かれたペーパーの交換作業後、ペーパーの先端部をカット処理する際に、搬出口からのペーパーの引き出し長さを、作業者の如何にかかわらずほぼ一定とすることが出来るペーパーマガジンを提供する。  【解決手段】  ロール状に巻かれたプリント用のペーパーを収納するためのマガジン本体が備えられると共に、このマガジン本体には、マガジン本体内のペーパーを搬出するためのペーパー搬出口が設けられたペーパーマガジンにおいて、前記マガジン本体には、前記ペーパー搬出口からのペーパーの引き出し長さを決めるための目安部材が備えられ、この目安部材は、プリント用ペーパーの引出し方向前後に所定長さ伸縮可能に構成されている。  【選択図】  図２
2007041118.tif 000002
【特許請求の範囲】
【請求項１】
ロール状に巻かれたプリント用のペーパーを収納するためのマガジン本体が備えられると共に、このマガジン本体には、マガジン本体内のペーパーを搬出するためのペーパー搬出口が設けられたペーパーマガジンにおいて、前記マガジン本体には、前記ペーパー搬出口からのペーパーの引き出し長さを決めるための目安部材が備えられていることを特徴とするプリント処理装置用ペーパーマガジン。
【請求項２】
目安部材が、プリント用ペーパーの引出し方向前後に所定長さ伸縮可能に構成されていることを特徴とする請求項１に記載のプリント処理装置用ペーパーマガジン。
【請求項３】
目安部材が、可撓性を備えた長尺部材から構成され、この長尺部材は、常時は巻取り装置に巻き取られて、巻取り装置から所定長さ引出し可能となっていることを特徴とする請求項１に記載のプリント処理装置用ペーパーマガジン。
【発明の詳細な説明】
【技術分野】
【０００１】
本発明は、主としてプリント処理装置で使用されるロール状に巻かれたペーパーを収納するためのペーパーマガジンに関する。
【背景技術】
【０００２】
一般にロール状に巻かれた印画紙（以下、印画紙巻と云う）などを収容するためのペーパーマガジンは、例えばケースと、ケースに揺動可能に支持されてこのケースの開口を開閉するカバー体とからなるマガジン本体が備えられ、このマガジン本体には、印画紙などのペーパーの搬出口が設けられている。
【０００３】
また以上のペーパーマガジンが使用されるプリント処理装置は、例えば印画紙を搬送するための搬送装置と、画像を印画紙に焼き付けるための焼付処理部と、焼付処理部で焼付け処理された印画紙を現像処理するための現像処理部と、現像された印画紙を乾燥処理するための乾燥処理部とが備えられ、印画紙巻をペーパーマガジン内に装填した上で、このペーパーマガジンを焼付け処理部にセットして、ペーパーマガジンから印画紙を順次繰り出しながら、この印画紙に各種処理を施すようにしている。（特許文献１参照）
ところで、新たに印画紙巻をマガジン内に収納する場合には、新しい印画紙巻とペーパーマガジンを暗室内に持ち込んでペーパーマガジン内に印画紙巻を装填するか、あるいは印画紙巻およびペーパーマガジンを暗袋内に収容して、暗袋内で手探りにて印画紙巻をペーパーマガジン内に装填するようにしていることから、印画紙巻の装填作業時には、印画紙巻の最も外周に巻かれているペーパー部分の乳剤面に指が触れてしまう不具合がある。
【０００４】
そのため、従来では、印画紙巻の装填作業後に、ペーパーマガジンの搬出口から、印画紙の先端部を例えば印画紙巻一巻分程度の長さだけ適宜引き出して、その引き出し部分をカッターなどでカットして廃棄処理するようにしている。
【０００５】
しかしながら、以上の印画紙の引き出し作業において、その引き出し長さは作業者の勘に頼っていることから、場合によっては必要以上に長く引き出しすぎて、印画紙を無駄に使用してしまったり、あるいは引き出し量が短すぎて、指紋がついた印画紙を以降のプリント処理に不用意に用いるなどの支障が生じる。
【特許文献１】特開２００２−１６２６９７号公報
【発明の開示】
【発明が解決しようとする課題】
【０００６】
本発明は以上の実情に鑑みて開発したものであって、目的とするところは、印画紙巻などのロール状に巻かれたペーパーを新しいものに詰め替えた後にそのペーパーの先端部をカットする際、搬出口からのペーパーの引き出し長さを、作業者の如何にかかわらずほぼ一定とすることが出来るペーパーマガジンを提供することにある。
【課題を解決するための手段】
【０００７】
以上の目的を達成するために、請求項１に記載の発明は、ロール状に巻かれたプリント用のペーパーを収納するためのマガジン本体が備えられると共に、このマガジン本体には、マガジン本体内のペーパーを搬出するためのペーパー搬出口が設けられたペーパーマガジンにおいて、前記マガジン本体には、前記ペーパー搬出口からのペーパーの引き出し長さを決めるための目安部材が備えられていることを特徴とするものである。
【０００８】
また請求項２に記載の発明は、請求項１に記載の目安部材が、プリント用のペーパーの引出し方向前後に所定長さ伸縮可能に構成されていることを特徴とするものである。
【０００９】
また請求項３に記載の発明は、請求項１に記載の目安部材が、可撓性を備えた長尺部材    から構成され、この長尺部材は、常時は巻取り装置に巻き取られて、巻取り装置から所定長さ引出し可能となっていることを特徴とするものである。
【発明の効果】
【００１０】
請求項１に記載の発明によれば、例えばマガジン本体へのペーパーの装填時、ペーパーの先端部をカット処理する際に、搬出口からのペーパーの引き出し長さを目安部材により決めることが出来るので、作業者の如何にかかわらず搬出口からのペーパーの引き出し長さをほぼ一定とすることが出来、従って、従来のように必要以上に長く引き出しすぎてペーパーを無駄に使用したり、逆に引き出し量が短すぎて不良のあるペーパーをプリント処理に用いるなどの不具合を確実に抑制することが出来る。
【００１１】
請求項２に記載の発明によれば、請求項１に記載の発明の効果に加え、使用時にのみ目安部材を伸ばし、不使用時には邪魔にならないように目安部材を縮めておくことが出来る。
【００１２】
請求項３に記載の発明によれば、請求項１に記載の発明の効果に加え、引き出した長尺部材から手を離すだけで、引き出された長尺部材が巻取り装置に自動的に巻き取ることが出来るので、プリントのカット作業がより一層スムーズに行なえる。
【発明を実施するための最良の形態】
【００１３】
図に示すペーパーマガジン１は、略直方体に形成されたマガジン本体１０から成り、このマガジン本体１０は、その一側面の対角線に沿って第１分割体２ａと第２分割体２ｂとに二分割されている。
【００１４】
そしてこれら両分割体２ａ・２は、その一端でヒンジ２１を介して結合され、このヒンジ２１を支点として、両分割体２ａ・２ｂは開閉可能とされているのであって、両分割体２ａ・２ｂは、閉鎖時において留め金３によりその閉鎖状態が維持されるようにしている。
【００１５】
マガジン本体１０の内部には、ロール状に巻回された印画紙Ｐを収納するようにしており、この印画紙Ｐは、マガジン本体１０に設けられたペーパー搬出口１１から外部に引き出し可能になっている。
【００１６】
尚、ペーパー搬出口１１には遮光機構（図示せず）が設けられている。
【００１７】
またマガジン本体１０内におけるペーパー搬出口１１近くには、送りローラ１２ａと、この送りローラ１２ａに圧接する圧接ローラ１２ｂとから構成される搬送ローラ対１２が設けられ、この搬送ローラ対１２の回転により、マガジン本体内１０の印画紙Ｐをマガジン１外に搬出するようにしている。
【００１８】
以上の構成から成るペーパーマガジン１において、本発明は、マガジン本体１０に、ペーパーマガジン１におけるペーパー搬出口１１からの印画紙Ｐの引き出し長さを決めるための目安部材４を設けたのである。
【００１９】
図１及び図２に示す実施形態では、目安部材４が複数の分割体４１から形成されて、これら分割体４１が伸縮可能に連結されたものであって、具体的には、合成樹脂材料から先細状に形成した５本の円筒状の分割体４１を、印画紙Ｐの引出し方向前後に伸縮可能となるようにテレスコピックに連結し、不使用時には、マガジン本体１０内に縮めた状態で格納する一方、使用時には、ペーパー搬出口１１の外方に所定長さロッド状に伸ばせるようにしている。
【００２０】
そして、目安部材４を構成する５本の分割体を図２に示すようにマガジン本体１０の外方に伸ばした時の全長Ｌは、マガジン本体１０に装填される印画紙巻ＲＰの外周長さとほぼ等しくしている。
【００２１】
以上の構成から成るペーパーマガジン１にあっては、マガジン本体１０内に新しい印画紙巻ＲＰを装填するには、例えば暗室内若しくは暗袋内において、第１分割体２ａに対して第２分割体２ｂを展開して、マガジン本体１０を開き、印画紙巻ＲＰをマガジン本体１０にセットする。
【００２２】
続いて、第２分割体２ｂを閉じて、留め具３により、両分割体２ａ・２ｂを閉鎖状態にロックした上で、ペーパーマガジン１を暗室若しくは暗袋から出す。
【００２３】
そして以上のごとく新しい印画紙巻ＲＰがセットされたペーパーマガジン１をプリント処理装置で使用するに際して、図２に示すように、目安部材４を伸ばすと共に、マガジン本体１０内にセットした印画紙巻ＲＰの印画紙Ｐの先端側を、その先端が引き延ばされた目安部材４の先端に来るまでペーパー搬出口１１から引き出し、マガジン本体１０から引き出された部分を別途用意したカッター（図示せず）により切断する。
【００２４】
斯くして以上のペーパーマガジン１では、印画紙巻ＲＰの詰め替え作業に伴い、印画紙巻ＲＰの印画紙Ｐの先端側を引き出してカット処理する際に、引き伸ばした目安部材４の先端にあわせて印画紙巻ＲＰを引き出すだけでよく、これにより、ペーパー搬出口１１からの印画紙Ｐの引き出し長さを、作業者の如何にかかわらずほぼ一定とすることが出来るのである。
【００２５】
従って以上のペーパーマガジン１にあっては、従来のように必要以上に長く引き出しすぎて印画紙Ｐを無駄に使用するような不具合や、逆に引き出し量が短すぎて指紋がついた印画紙Ｐを以降のプリント処理に不用意に用いるなどの不具合を確実に抑制することが出来るのである。
【００２６】
以上の実施形態では、目安部材４を複数の分割体４１から形成して、これら分割体４１を、印画紙Ｐの引出し方向前後に伸縮可能となるようにテレスコピックに連結したが、これに限定されるものではなく、例えば図３〜図４に示すように構成してもよい。
【００２７】
即ち、目安部材４を、可撓性を備えた帯状の長尺部材４２から構成する一方、マガジン本体１０内におけるペーパー搬出口１１近くには、前述の長尺部材４２を強制的に巻き取るための巻取り体４３を回転可能に設けた巻取り装置４４を設けて、巻取り体を付勢手段としての渦巻きバネ（図示せず）を介して長尺部材４２を巻取る方向に付勢させ、
常時は、長尺部材４２を渦巻きバネを介して巻取り体４３に巻き取るようにすると共に、長尺部材４２の先端部を引くことで、巻取り体４３を渦巻きバネに抗して逆転させて長尺部材４２を巻取り体４３から引っ張り出せるようにしている。
【００２８】
斯くして以上のペーパーマガジン１では、渦巻きバネに抗して引き出した長尺部材４２から手を離すだけで、引き出された長尺部材４２が巻取り装置４４の巻取り体４３に渦巻きバネを介して自動的に巻き取られるので、印画紙のカット作業がより一層スムーズに行なえる。
【００２９】
また以上の各実施形態において、マガジン本体１０におけるペーパー搬出口１１に、例えばロータリー刃から構成されるカッターを揺動可能に組み付けて、このカッターの揺動操作により、印画紙Ｐを適宜カットするようにしてもよい。
【００３０】
また以上の実施形態では、ロール状に巻かれたプリント用のペーパーとして印画紙巻を例にして説明したが、例えばインクジェット式のプリント処理装置に用いる場合には、インクジェット仕様のプリント用紙をロール状に巻いたものをマガジン本体１０内に装填するようにしてもよい。
【図面の簡単な説明】
【００３１】
【図１】本発明にかかるペーパーマガジンの一実施形態を示す斜視図。
【図２】図１に示すペーパーマガジンの概略断面図。
【図３】本発明にかかるペーパーマガジンの一実施形態を示す斜視図。
【図４】図３に示すペーパーマガジンの概略断面図。
【符号の説明】
【００３２】
１      ペーパーマガジン
１０    マガジン本体
１１    ペーパー搬出口
４      目安部材
４１    分割体
４２    長尺部材
４４    巻取り装置
ＲＰ    印画紙巻
Ｐ      印画紙（ペーパー）
【図１】
2007041118.tif 000003
【図２】
2007041118.tif 000004
【図３】
2007041118.tif 000005
【図４】
2007041118.tif 000006